(57)【要約】【課題】  軸受部材を冷却してその損傷を防止し、かつ安価なグリースを使用することのできるマグネットギヤポンプを提供する。【解決手段】  このマグネットギヤポンプ１は、これを構成する圧力容器３を内蔵する装置本体２の外周部の、相対する部位の一方側にベント管７ａが、他方側に空気取り込み口７ｅ，７ｅが配置されているので、外気を空気取り込み口７ｅ，７ｅから吸引してベント管７ａから排出することによって、外気温に応じてマグネット回転用の駆動軸４ａを軸支する軸受部材４を随時冷却してその損傷を防止することができる。  さらに、このマグネットギヤポンプ１は、外気温に応じて圧力容器３を含む装置本体２内も随時冷却することができるので、装置内部温度が低くなり、耐熱温度が低い安価なグリースの使用が可能となる。【選択図】      図１
2018009476.tif 000002
【特許請求の範囲】
【請求項１】
圧力容器を構成する装置本体の相対する側壁の一方側にベント管を、他方側に空気取り込み口をそれぞれ配置し、前記装置本体内に外気を自然対流させるよう構成されていること
を特徴とするマグネットギヤポンプ。
【請求項２】
前記ベント管は、
前記側壁の上方側に、前記空気取り込み口は、前記側壁の下方側にそれぞれ配置されていること
を特徴とする請求項１に記載のマグネットギヤポンプ。
【請求項３】
前記装置本体は、
先端開口部には、モータの駆動軸を軸受けする軸受保持部材が設けられ、基端側には、内部の液体を外部に排出するモータを駆動するためのギヤ保持部材が設けられたものであること
を特徴とする請求項１又は２に記載のマグネットギヤポンプ。
【請求項４】
前記装置本体は、
前記先端開口部に延出するモータの駆動軸の先端側に、モータと連動する円筒状のカバーケースが配置され、前記カバーケース内に圧力容器が配置されたもので、前記カバーケースの内周に設けられたアウターマグネットに相対させて、前記圧力容器の内周面にインナーマグネットが設けられていること
を特徴とする請求項１〜３のいずれかに記載のマグネットギヤポンプ。
【請求項５】
前記圧力容器は、
両端部が開口する装置本体内に内蔵され、
その中心に配された駆動軸の基端側の外周部に配されたギヤが、装置本体の後部開口部側に設けられたシャフトのギヤと係合し、装置本体内に設けられた排出口を介して液体を外部に排出できるよう構成されていること
を特徴とする請求項１〜３のいずれかに記載のマグネットギヤポンプ。
【請求項６】
前記カバーケースは、
その先端部が、モータの駆動軸の先端部に設けられた連結子に固着されていること
を特徴とする請求項４に記載のマグネットギヤポンプ。
【請求項７】
前記カバーケースを内蔵する装置本体は、
その先端側の開口部が、モータの駆動軸の軸受部材で閉止されたもので、
前記軸受部材の内部には、所要の間隔を存して一対の軸受が配されていること
を特徴とする請求項２〜６のいずれかに記載のマグネットギヤポンプ。
【請求項８】
前記装置本体の相対する側壁の下方側には、
ドレン管が配置されていること
を特徴とする請求項１〜７のいずれかに記載のマグネットギヤポンプ。
【発明の詳細な説明】
【技術分野】
【０００１】
この発明は、マグネット回転用の駆動軸を軸支する軸受部材を冷却して、その損傷を防止するとともに、安価なグリースの使用を可能にするマグネットギヤポンプに関するものである。
より具体的には、外気を利用した自然対流によって、マグネット回転用の駆動軸を軸支する軸受部材を冷却するとともに、安価なグリースの使用を可能にするマグネットギヤポンプに係るものである。
【背景技術】
【０００２】
近時、レアアースの利用によって、磁石の磁力が飛躍的に向上している。
これを受けて、高トルクを伝達可能となったマグネット式トルクカプラーが、様々な分野において応用されている。
【０００３】
かかるマグネット式トルクカプラーを応用したギヤポンプは、圧力容器（「キャン」ともいう。）は、金属で製作され、キャンを隔てて磁力伝達が行われるため、キャンの材料は非磁性であることが求められる。
【０００４】
前記トルクカプラー方式においては、キャンは基本的に静止しているが、回転する磁束が圧力容器を通過するため、渦電流がキャンの外周部に発生する。
この渦電流は、閉じた円形電流であって、すべてが熱に変換される。
一方、圧力容器を非磁性金属で構成する場合、必ず渦電流損による発熱が生じる。
他方、ギヤポンプは、比較的高粘度の液体も扱うので、熱可塑性樹脂などの移送に際して、対象となる液体をコントロールすることが頻繁に行われる。
【０００５】
例えば、特開２００５−２２０８６５号公報（特許文献１）においては、核熱を利用した水を原料とした熱科学ＩＳプラントの濃硫酸、およびヨウ素＋ヨウ化水素混合液に使用される、耐食性材料を用いた高温高圧用マグネットカップリング式ポンプが開示されている。
【０００６】
前記特許文献１におけるポンプは、
１）インペラー、その回転シャフト、フロント部、ドレン部およびリアケーシング部をＴａで構成し、
２）そのスラストリング、回転シャフトを支えるスリーブ、そのブッシュおよびカップリングキイをセラミックで構成し、
３）使用する重液がポンプ内部で固化した場合、その重液をセラミックヒータで加熱し、軟化させてドレンから排出すること
が開示されている。
【先行技術文献】
【特許文献】
【０００７】
【特許文献１】特開２００５−２２０８６５号公報
【発明の概要】
【発明が解決しようとする課題】
【０００８】
前記特許文献１に記載されたポンプは、運転温度を温度１２０℃〜４５０℃とするものである。
【０００９】
しかしながら、マグネットギヤポンプの運転に際して使用するグリースには、耐熱温度がある。
したがって、運転温度ないしポンプ内部温度に応じて適正なグリースを選択する必要があるところ、使用するグリースの耐熱温度を超える高い温度で、ポンプを長時間運転した場合には、溶解したグリースの漏えいが促進され、漏えいしたグリースが、ポンプ内部で乾燥・炭化するという問題があった。
【００１０】
さらに、耐熱温度が高いグリースは、非常に高価である、という問題もあった。
【００１１】
さらにまた、マグネットを回転させるための駆動軸を軸支している軸受部材（ボールベアリング）の焼き戻し温度、例えば、温度１８０℃以上で運転する場合には、この軸受部材が高温になり、損傷するおそれがある、という問題もあった。
上記の問題は、移送する流体の温度が、温度２５０℃〜３００℃を超える場合において特に顕著であった。
【００１２】
この発明はかかる現状に鑑み、圧力容器を構成する装置本体の相対する側壁の一方側にベント管を、他方側に空気取り込み口を配置することによって、装置本体内部の空気の排出と外気の取り込みによる自然対流を発生させ、この自然対流を利用することによって、マグネット回転用の駆動軸を軸支している軸受部材を、冷却してその損傷を防止するとともに、安価なグリースを使用することのできるマグネットギヤポンプを提供せんとするものである。
【課題を解決するための手段】
【００１３】
この発明の請求項１に記載の発明は、
圧力容器を構成する装置本体の相対する側壁の一方側にベント管を、他方側に空気取り込み口をそれぞれ配置し、前記装置本体内に外気を自然対流させるよう構成されていること
を特徴とするマグネットギヤポンプである。
【００１４】
この発明の請求項２に記載の発明は、
請求項１に記載のマグネットギヤポンプにおいて、
前記ベント管は、
前記側壁の上方側に、前記空気取り込み口は、前記側壁の下方側にそれぞれ配置されていること
を特徴とするマグネットギヤポンプである。
【００１５】
この発明の請求項３に記載の発明は、
請求項１又は２に記載のマグネットギヤポンプにおいて、
前記装置本体は、
先端開口部には、モータの駆動軸を軸受けする軸受保持部材が設けられ、基端側には、内部の液体を外部に排出するモータを駆動するためのギヤ保持部材が設けられたものであること
を特徴とするマグネットギヤポンプである。
【００１６】
この発明の請求項４に記載の発明は、
請求項１〜３のいずれかに記載のマグネットギヤポンプにおいて、
前記装置本体は、
前記先端開口部に延出するモータの駆動軸の先端側に、モータと連動する円筒状のカバーケースが配置され、前記カバーケース内に圧力容器が配置されたもので、前記カバーケースの内周に設けられたアウターマグネットに相対させて、前記圧力容器の内周面にインナーマグネットが設けられていること
を特徴とするものである。
【００１７】
この発明の請求項５に記載の発明は、
請求項１〜３のいずれかに記載のマグネットギヤポンプにおいて、
前記圧力容器は、
両端部が開口する装置本体内に内蔵され、
その中心に配された駆動軸の基端側の外周部に配されたギヤが、装置本体の後部開口部側に設けられたシャフトのギヤと係合し、装置本体内に設けられた排出口を介して液体を外部に排出できるよう構成されていること
を特徴とするものである。
【００１８】
この発明の請求項６に記載の発明は、
請求項４に記載のマグネットギヤポンプにおいて、
前記カバーケースは、
その先端部が、モータの駆動軸の先端部に設けられた連結子に固着されていること
を特徴とするものである。
【００１９】
この発明の請求項７に記載の発明は、
請求項２〜６のいずれかに記載のマグネットギヤポンプにおいて、
前記カバーケースを内蔵する装置本体は、
その先端側の開口部が、モータの駆動軸の軸受部材で閉止されたもので、
前記軸受部材の内部には、所要の間隔を存して一対の軸受が配されていること
を特徴とするものである。
【００２０】
この発明の請求項８に記載の発明は、
請求項１〜７のいずれかに記載のマグネットギヤポンプにおいて、
前記装置本体の相対する側壁の下方側には、
ドレン管が配置されていること
を特徴とするものである。
【発明の効果】
【００２１】
この発明にかかるマグネットギヤポンプは、圧力容器を内蔵する装置本体の外周部の、相対する部位の一方側にベント管が、他方側に空気取り込み口が配置されているので、外気を空気取り込み口から吸引してベント管から排出することによって、外気温に応じてマグネット回転用の駆動軸を軸支する軸受部材を随時冷却することができる。
したがって、前記軸受部材の損傷を防止することができる。
さらに、外気温に応じて圧力容器を含む装置本体内も随時冷却することができるので、装置内部温度が低くなり、耐熱温度が低い安価なグリースの使用が可能となる。
【００２２】
さらに、この発明のマグネットギヤポンプは、外気循環部材として、ベント管と空気取り込み口を採用することによって、マグネット回転用の駆動軸を軸支する軸受部材の高熱化を防止することができるので、大掛かりな冷却用の装置を外付けする必要がなく、この軸受部材から圧力容器までの長さを短くすることを可能とするものである。
したがって、マグネットギヤポンプの構成を大幅に簡素化かつコンパクト化させることができる。
【００２３】
特に、この発明のマグネットギヤポンプを、前記ベント管が、前記外周部（側壁）の上方側に、前記空気取り込み口が、前記外周部の下方側にそれぞれ配置されるように構成した場合には、装置本体内の加熱された空気は、その密度差によって上昇し、前記ベント管から排出され、排出される空気よりも低い温度の外気が、前記空気取り込み口から供給されるので、自然対流が生じやすくなる。
【００２４】
さらにまた、この発明のマグネットギヤポンプにおいては、前記装置本体の外周部の、相対する部位の下方側に、ドレン管を配置することによって、溶解したグリースを装置外に排出することができるので、グリースの装置内部での乾燥・炭化を防止することができる。
【００２５】
なお、この発明を構成する軸受部材は、所要の間隔を存して設けられる一対の軸受で構成されるので、モータの駆動軸の回転によって発生する摩擦熱も、すべて、前記外気を空気取り込み口から吸引してベント管から排出することによる自然対流によって、系外に排出されるので、装置本体内に熱が籠ることがなく、前記軸受部材を随時冷却してその損傷を防止することができる。
【図面の簡単な説明】
【００２６】
【図１】この発明にかかるマグネットギヤポンプの一例を示す説明図である。
【図２】図１に示すマグネットギヤポンプのＡ−Ａ’一部切欠き断面図である。
【発明を実施するための形態】
【００２７】
以下、この発明にかかるマグネットギヤポンプ１の実施の一例を、添付の図面に基づいて具体的に説明する。
この発明のマグネットギヤポンプ１は、圧力容器３を内蔵する両端部が開口する円筒状の装置本体２と、モータ側に位置する先端開口部を閉止し、かつマグネットを回転させる駆動軸４ａを支持する軸受部材４と、後端開口部を閉止するギヤ保持部材５と、前記圧力容器３の回転を前記ギヤ保持部材５に伝達するシャフト６と、前記装置本体２の先端開口側に設けられ、かつ外気によって前記装置本体２内及び軸受部材４を冷却するベント管７ａと空気取り込み口７ｅ，７ｅからなる外気循環部材７とから構成されている。
なお、前記ベント管７ａは、図２に示すように、雨水の侵入を防止するため、その先端が下方に向くように構成することが好ましい。
【００２８】
前記装置本体２は外周部が２重に形成されたもので、前記軸受部材４に近接する先端側の、相対する側壁の一方側に前記装置本体２内の空気を排出するための前記ベント管７ａが、他方側に前記空気取り込み口７ｅ，７ｅが配置され、前記装置本体２内の加熱された空気は、透孔７ｃおよび前記ベント管７ａを介して大気中に放出され、その密度差によって、外気が、前記空気取り込み口７ｅ，７ｅから取り込まれ、透孔７ｄを介して装置本体２内に供給されるものである。
このような構成によって、前記装置本体２内部と前記軸受部材４を冷却して、健全な状態を保持することが可能となる。
【００２９】
図１及び２に示すように、前記ベント管７ａは相対する側壁の上方側に、前記空気取り込み口７ｅ，７ｅは相対する側壁の下方側に、それぞれ配置されている。
このような構成によって、前記装置本体２内の加熱された空気は、その密度差によって上昇し、前記ベント管７ａから排出され、さらに、前記排出される空気よりも低い温度の外気が、前記空気取り込み口７ｅ，７ｅから供給されるので、自然対流が生じやすくなる。
【００３０】
なお、図１及び２において、前記空気取り込み口７ｅ，７ｅ間には、ドレン管７ｂが配置されている。
このドレン管７ｂは、溶解したグリースを排出して装置本体２内で乾燥・炭化することを防止するためのものであるが、前記空気取り込み口７ｅ，７ｅと同様に、外気を取り込んで前記装置本体２内に供給することが期待されるものである。
【００３１】
前記軸受部材４は、マグネットを回転させるための駆動軸４ａを軸支するもので、この駆動軸４ａは、モータ（図示せず）に接続されている。
図１において、前記軸受部材４は、所要の間隔を存して配される左右一対の軸受４ｂ，４ｃによって構成されたもので、前記軸受４ｂ，４ｃ間には、所要の大きさの隙間Ｘが形成されている。
【００３２】
前記駆動軸４ａの先端側は、所要の間隔を存して配される左右一対の軸受４ｂ，４ｃによって保持され、その先端部の連結子４ｄを前記装置本体２内に挿入させ、当該連結子４ｄの先端を、前記装置本体２内に配置された回転体（カバーケース）８に一体的に固着する。
なお、前記軸受４ｂと４ｃとの間に空隙Ｘを構成することによって、前記駆動軸４ａが回転する際に発生する熱を、外気中に自然放熱させることができる。
【００３３】
前記回転体（カバーケース）８は、一端部に前記連結子４ｄと係合する受容れ部８ａを有する底部が開口した円筒体からなるもので、その外周部には、円筒状のアウターマグネット９が固定されている。
【００３４】
前記回転体（カバーケース）８の内部には、先端部が閉止された円筒状の圧力容器３の先端部が挿入されている。
この圧力容器３は、その内部に前記アウターマグネット９に対応するインナーマグネット１０が装着された伝動シャフト６の先端部が装着され、前記伝動シャフト６の基端部近傍の外周部には、前記ギヤ保持部材５のギヤ５ａが外装されている。
【００３５】
前記ギヤ５ａはギヤ５ｂと連動するとともに、前記ギヤ５ｂは、前記装置本体２の他端開口部側に配置されたシャフト１１と連動するもので、このシャフト１１の回転によって前記装置本体２内に充填させて液状媒体（移送流体）を、排出口１２を介して外部に排出できるよう構成されている。
【００３６】
かかる構成において、外気を、主として空気取り込み口７ｅ，７ｅから吸引してベント管７ａから排出することによる自然対流によって、熱は系外に排出されるので、前記装置本体２内に熱が籠ることがなく、前記軸受部材４を随時冷却してその損傷を防止することができる。
【００３７】
すなわち、前記装置本体２内に、所定の温度、特に高温の移送流体を充填して使用する場合、前記圧力容器３を内蔵する前記装置本体２の内部が高温になるので、前記装置本体２内の空気も加熱されて高温になる。
加熱された空気は、その密度差によって上昇し、前記装置本体２の外周部に配した外気循環部材７のベント管７ａから外部に排出され、さらに、排出される空気よりも低い温度の外気が、その密度差によって、外気循環部材７の空気取り込み口７ｅ，７ｅから、場合によってはドレン管７ｂからも、取り込まれる。
この発明においては、前記装置本体２の外周部の上部にあるベント管７ａを介した高温の空気の排出と、下部にある空気取り込み口７ｅ，７ｅを介した温度の低い空気（外気）の取り込みによる自然対流によって、前記装置本体２内の熱を外部に排出し、その軸受部材４の温度を下げることができるものである。
【００３８】
この発明のマグネットギヤポンプは、以上述べたように、前記外気循環部材７を構成する空気取り込み口７ｅ，７ｅから取り込まれた空気によって、マグネット回転用の駆動軸を軸支する軸受部材４を冷却することができるので、高温の移送流体、特に温度２００℃〜３５０℃の移送流体を扱う場合であっても、健全な状態を維持することができる。
さらに、前記圧力容器３内に充填された液状媒体の粘性が変化しても、前記外気循環部材７を構成するベント管７ａから取り込まれた外気温の高低によって、粘性を一定に保持することができるので、求められる液体の粘性を最適に維持することができる。
さらにまた、液状媒体を常に最適に維持するための構成が、きわめて簡単かつ容易であるため、町工場などにおいて経済的に利用することができる。
なお、ギヤポンプ以外の装置であっても、マグネットカップリングを利用したものであれば、この発明を適用することができる。
【実施例】
【００３９】
以下に、実施例を挙げてこの発明を詳細に説明するが、この発明はこれら実施例により制限されることはない。
【００４０】
［実施例１］
図１に示すマグネットギヤポンプと同様のものを用いて、その運転状況の確認を行った。
【００４１】
＜結  果＞
移送流体の温度３２０℃で、約２７００時間の運転において、マグネット回転用の駆動軸を軸支する軸受部材４の、ベアリング近傍の表面温度は温度１００℃程度に維持されており、安価な高温グリース（耐熱温度２５０℃）を使用して正常に運転していることが確認され、この条件下での年間８，０００時間以上の正常運転が期待できる。
したがって、この発明によれば、このような軸受部材４を冷却して、健全な状態を長期間に亘って維持することができることは明らかである。
さらに、この実施例においては、耐熱温度２５０℃のグリースを使用したが、軸受部材４のベアリング近傍の表面温度は、温度１００℃程度に維持されているので、この発明によれば、耐熱温度１１０〜１４０℃の汎用のグリースの使用が期待できる。
【００４２】
［比較例１］
ベント管７ａとドレン管７ｂと空気取り込み口７ｅ，７ｅを設けないこと以外は、図１に示すマグネットギヤポンプと同様のものを用いて、その運転状況の確認を行った。
【００４３】
＜結  果＞
移送流体の温度３００℃で、グリースとして耐熱温度１４０℃の汎用グリースを使用して運転したところ、運転開始から約３，０００時間後に、マグネット回転用の駆動軸を軸支する軸受部材の崩壊が確認された。
【００４４】
［比較例２］
前記ベント管７ａとドレン管７ｂと空気取り込み口７ｅ，７ｅを設けないこと以外は、図１に示すマグネットギヤポンプ１と同様のものを用い、その運転状況の確認を行った。
【００４５】
＜結  果＞
移送流体の温度３００℃で、耐熱温度２００℃のグリースを使用して７，０００時間の運転を行った後、点検した結果、マグネット回転用の駆動軸を軸支する軸受部材のベアリング近傍の表面温度は温度約１５０℃で、この軸受部材は摩耗が生じて正常ではない状態のものになり、前記装置本体２のマグネットケース内部において漏えいした、グリースの固化ないし炭化物が発生したことが確認された。
【産業上の利用可能性】
【００４６】
この発明のマグネットギヤポンプは、従来の冷却機能を有しないマグネットギヤポンプの外周部に、外気循環部材を簡単かつ容易に後付けすることができるので、マグネットギヤポンプ自体の構造を変える必要や、大掛かりな冷却装置を外付けする必要がなく、中小企業などが積極的に利用できる技術である。
【符号の説明】
【００４７】
１          マグネットギヤポンプ
２          装置本体
３          圧力容器
４          軸受部材
４ａ        マグネット回転用の駆動軸
４ｂ，４ｃ  軸受
５          ギヤ保持部材
５ａ，５ｂ  ギヤ
６          シャフト
７          外気循環部材
７ａ        ベント管
７ｂ        ドレン管
７ｃ，７ｄ  透孔
７ｅ        空気取り込み口
８          回転体
９          アウターマグネット
１０        インナーマグネット
１１        シャフト
１２        排出口
【図１】
2018009476.tif 000003
【図２】
2018009476.tif 000004
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
圧力容器を構成する装置本体の外周部の、相対する部位の一方側にベント管を、他方側に空気取り込み口をそれぞれ配置し、前記装置本体内で加熱された空気の前記ベント管を介した排出と、前記加熱された空気よりも温度が低い外気の前記空気取り込み口を介した取り込みによって自然対流が生ずるよう構成されていること
を特徴とするマグネットギヤポンプ。
【請求項２】
前記ベント管は、
前記外周部の、軸受部材に近接する先端側の上方側に、
前記空気取り込み口は、
前記外周部の、軸受部材に近接する先端側の下方側に、
それぞれ配置されていること
を特徴とする請求項１に記載のマグネットギヤポンプ。
【請求項３】
前記装置本体は、
先端開口部には、モータの駆動軸を軸受けする軸受保持部材が設けられ、基端側には、内部の液体を外部に排出するシャフトを駆動するためのギヤ保持部材が設けられたものであること
を特徴とする請求項１又は２に記載のマグネットギヤポンプ。
【請求項４】
前記装置本体は、
前記先端開口部に延出するモータの駆動軸の先端側に、モータと連動する円筒状のカバーケースが配置され、前記カバーケース内に圧力容器が配置されたもので、前記カバーケースの内周に設けられたアウターマグネットに相対させて、前記圧力容器の内周面にインナーマグネットが設けられていること
を特徴とする請求項１〜３のいずれかに記載のマグネットギヤポンプ。
【請求項５】
前記圧力容器は、
両端部が開口する装置本体内に内蔵され、
その中心に配された伝動シャフトの基端側の外周部に配されたギヤが、装置本体の後部開口部側に設けられたシャフトのギヤと係合し、装置本体内に設けられた排出口を介して液体を外部に排出できるよう構成されていること
を特徴とする請求項１〜３のいずれかに記載のマグネットギヤポンプ。
【請求項６】
前記カバーケースは、
その先端部が、モータの駆動軸の先端部に設けられた連結子に固着されていること
を特徴とする請求項４に記載のマグネットギヤポンプ。
【請求項７】
前記カバーケースを内蔵する装置本体は、
その先端側の開口部が、モータの駆動軸の軸受部材で閉止されたもので、
前記軸受部材の内部には、所要の間隔を存して一対の軸受が配されていること
を特徴とする請求項２〜６のいずれかに記載のマグネットギヤポンプ。
【請求項８】
前記装置本体の外周部の下方側には、
ドレン管が配置されていること
を特徴とする請求項１〜７のいずれかに記載のマグネットギヤポンプ。
【手続補正２】
【補正対象書類名】明細書
【補正対象項目名】００１３
【補正方法】変更
【補正の内容】
【００１３】
この発明の請求項１に記載の発明は、
圧力容器を構成する装置本体の外周部の、相対する部位の一方側にベント管を、他方側に空気取り込み口をそれぞれ配置し、前記装置本体内で加熱された空気の前記ベント管を介した排出と、前記加熱された空気よりも温度が低い外気の前記空気取り込み口を介した取り込みによって自然対流が生ずるよう構成されていること
を特徴とするマグネットギヤポンプである。
【手続補正３】
【補正対象書類名】明細書
【補正対象項目名】００１４
【補正方法】変更
【補正の内容】
【００１４】
この発明の請求項２に記載の発明は、
請求項１に記載のマグネットギヤポンプにおいて、
前記ベント管は、
前記外周部の、軸受部材に近接する先端側の上方側に、
前記空気取り込み口は、
前記外周部の、軸受部材に近接する先端側の下方側に、
それぞれ配置されていること
を特徴とするマグネットギヤポンプである。
【手続補正４】
【補正対象書類名】明細書
【補正対象項目名】００１５
【補正方法】変更
【補正の内容】
【００１５】
この発明の請求項３に記載の発明は、
請求項１又は２に記載のマグネットギヤポンプにおいて、
前記装置本体は、
先端開口部には、モータの駆動軸を軸受けする軸受保持部材が設けられ、基端側には、内部の液体を外部に排出するシャフトを駆動するためのギヤ保持部材が設けられたものであること
を特徴とするマグネットギヤポンプである。
【手続補正５】
【補正対象書類名】明細書
【補正対象項目名】００１７
【補正方法】変更
【補正の内容】
【００１７】
この発明の請求項５に記載の発明は、
請求項１〜３のいずれかに記載のマグネットギヤポンプにおいて、
前記圧力容器は、
両端部が開口する装置本体内に内蔵され、
その中心に配された伝動シャフトの基端側の外周部に配されたギヤが、装置本体の後部開口部側に設けられたシャフトのギヤと係合し、装置本体内に設けられた排出口を介して液体を外部に排出できるよう構成されていること
を特徴とするものである。
【手続補正６】
【補正対象書類名】明細書
【補正対象項目名】００２０
【補正方法】変更
【補正の内容】
【００２０】
この発明の請求項８に記載の発明は、
請求項１〜７のいずれかに記載のマグネットギヤポンプにおいて、
前記装置本体の外周部の下方側には、
ドレン管が配置されていること
を特徴とするものである。